(57)【要約】【課題】  本考案は、股関節の内転拘縮に起因する、疼痛の緩和あるいは褥瘡の予防を目的とする内転防止マットを提供することを課題とする。【解決手段】  座位または臥位姿勢において、両膝部足部の間に軟性のマット材を挿入し、左右何れか若しくは両方の脚部の適宜位置にベルトを巻回させ、これを本マット上の適切な位置に面ファスナーで付着させ、股関節の内転を防止する。【選択図】図１
0003131177.tif 000002
【実用新案登録請求の範囲】
【請求項１】
左右の脚のいずれか一方若しくは両方に、脚の内側に添う軟性のパット材を装着させて、左右の膝、大腿部が内側に移動する股関節の内転を防止することを特徴とする膝間隙の内転防止マット。
【請求項２】
内転防止マットを弾性材で構成し、脚に巻回するバンドを面ファスナーまたはバックルなどで固定したことを特徴とする請求項１に記載の膝間隙の内転防止マット。
【請求項３】
内転防止マットを膝部から下腿部を経て足部に行くにしたがって脚部との接触面を広げるため、側面視で上辺より下辺が長い台形状に形成してあることを特徴とする請求項１若しくは請求項２に記載の膝間隙の内転防止マット。
【考案の詳細な説明】
【技術分野】
【０００１】
本考案は、股関節の内転拘縮で引き起こされる、脚の交叉による疼痛あるいは膝部圧迫による褥瘡を予防するために、椅子、車いす上での座位姿勢、またはベッド上での臥位姿勢において、両脚間に挟んで、それらの症状を緩和させるための内転防止マットに関するものである。
【背景技術】
【０００２】
これまでは、例えば、特許文献１に示されるようにサポーター状のもので膝から足首までを覆うような形のものが一般的であった。
また、特許文献２に示されるように金属フレームを使用して関節の変形を矯正しようとするものが提案されている。
【特許文献１】特開２００１−１２０５８５号公報
【特許文献２】特開２００６−１７５１４３号公報  股関節の内転に起因する症状を緩和もしくは予防する目的で、円座やマットも使用されているが、マットがずれることを防ぐために片側または両側の脚に固定するタイプは考案されていない。両側の脚に固定すると、本人に不快感を与えたり、「身体拘束」と受け取られる可能性がある。  そこで、必要最小限の身体部位をマット上で固定し、しかも任意の位置に変更することも可能にしたのが本考案である。
【考案の開示】
【考案が解決しようとする課題】
【０００３】
脳卒中の後遺障害などにより、股関節の内転拘縮で引き起こされる、脚の交叉による疼痛あるいは膝部圧迫による褥瘡を予防するために、ベッド上での臥位姿勢、または椅子、車いす上での座位姿勢において、両脚の間に挟んで、それらの症状を緩和させるための器具が、医療・福祉施設あるいは自宅における療養のなかで求められてきた。従来は、主にベッド上では臥位専用のクッションが用いられ、車いすにおいては座布団や小型のマットを折り曲げて膝の間に挟む、ということで対応されることが多かった。
【０００４】
本考案が解決しようとするところは、臥位姿勢、座位姿勢を問わず、膝部圧迫痛や褥瘡を緩和あるいは予防することが可能で、しかも介助者による着脱が簡単にできる内転防止マットを提供する点にある。
【課題を解決するための手段】
【０００５】
本考案は、前述の課題解決のために、第一に、左右の脚のいずれか一方若しくは両方に、脚の内側に添う軟性のパット材を装着させる。これによって股関節の過度の内転を防止することが可能である。
【０００６】
第二に、内転防止マットを弾性材で構成し、脚に巻回するベルトを面ファスナーまたはバックルなどで固定させる。また、脚部に装着するベルトは、マットの任意の位置に付着・剥脱できるように工夫されている。  
【０００７】
第三に、内転防止マットを膝部から下腿部を経て足部にいくにしたがって脚部との接触面を広げるため、側面視で上辺より下辺が長い台形状に形成してあり、股関節の内転をより確実に防止できる。
【考案の効果】
【０００８】
請求項１の考案によれば、両脚が接触するマットは、皮膚を長時間圧迫しても苦痛を感じさせない低反発性のクッションを内包した柔らかい表面素材からなっているため、要介護の高齢者などが、椅子、車いす上での座位姿勢、またはベッド上での臥位姿勢において両脚間に挟んで、股関節の内転に起因する膝部圧迫痛の緩和、あるいは褥瘡を予防することができる。
【０００９】
請求項２、３の考案によれば、両脚間に挟んで使用するクッションを内蔵したマット部と、マットがはずれないよう片方または両方の脚の適宜場所にマットを固定するための数本のベルトによってなっており、マット部は膝を屈曲させた状態で膝部から足部までの間をカバーするものを標準仕様とし、膝部から下腿部を経て足部に行くにしたがって脚部との接触面を広げるため、側面視で上辺より下辺が長い台形状に形成してある。マットの断面は、長方形で両脚に挟み込み易いように角に大きくアールをとっている。さらに、マットの表面布は柔らかいと同時に面ファスナーにも付着しやすい素材である。大腿部または下腿部に装着したベルトの外側の一部には面ファスナーのオスが逢着されているため、マット表面の適宜位置に付着・剥脱させることができる。そのため、使用者はベルトによる拘束感を感じることなくリラックスできる上に、介助者も本マットを使用することによって、介助の負担が軽減される。
【考案を実施するための最良の形態】
【００１０】
以下、実施例に関する図面に基づいて本考案を詳細に説明する。
【実施例１】
【００１１】
図１は、内転防止マット全体を示す。図２は、マット本体からベルト部分を剥離させた状態を示す。図２のようにベルト部分は剥離させ、本体の左右いずれの面にも、またどの位置にも付着させることができる。従って、脚のどの部分にも任意の角度や締め具合でマットの装着が可能である。
図面中の符号１は、内転防止マット本体を示し、次の構成になっている。  
該マット本体の形状は、膝部から足部までの間をカバーするものを標準仕様とし、膝部から下腿部を経て足部に行くにしたがって脚部との接触面を広げるため、側面視で上辺より下辺が長い台形状に形成してある。マット本体の断面は、長方形で両脚に挟み込み易いように角に大きくアールをとり、低反発性のクッション(スポンジ・ウレタン)を内包している。マットの厚さは、こぶし一つ分位(約７ｃｍ）を標準とし必要に応じて変えられる。
また、両脚が接触する表面は、皮膚に優しい柔らかい表面布(フェルトなど)からなっている。
この表面布は柔らかいと同時にループ状に起毛した状態になっており、面ファスナーのオスが付着しやすい素材である。
符号２は、ベルトを示す。
大腿部または下腿部に巻回させ、マット本体１の適宜位置に面ファスナー５で付着・剥脱させることができる。
符号３は、脚にベルトを取り付けるための面ファスナーであり、大腿部または下腿部にベルトを巻回させ固定する。
符号４は、フェルトなどの軟性素材、または良通気性素材である。大腿部または下腿部に装着するベルトの内側は、皮膚へのストレスが少ない軟性素材、または良通気性素材を逢着させてある。
符号５は、マット本体にベルトを固定するための面ファスナー(オス)であり、マット表面の適宜位置にベルトを付着・剥脱させることができる。
図３は、ベルト部分をマット本体に貼り付ける側から見たところである。
脚に巻き付けるベルト２。適当な巻き付け力で固定する面ファスナー３。ベルトが脚の皮膚に当たる面にフェルトなど柔らかい素材４を取り付けると長時間の使用に際しても痛みを感じさせないですむ。マット本体には面ファスナー５で付着させる。
【００１２】
図５は、本考案のマットを車椅子にて使用しているところの図である。
本考案のマットは、障害者、高齢者などの利用者がベッドで臥位姿勢をとるときでも、本図のように車椅子あるいは椅子、ソファーなどで座位姿勢をとるときでも、手軽に使用できる特徴がある。
使用する際は、まず利用者の脚が左右交叉した状態、または固く閉じた状態の脚を、介助者が膝から足先に向けて両手で徐々に開きながら、本マットを左右の脚の間隙に滑り込ませるように挿入する。この際、本マットの表面布の感触がとても肌ざわりのよい柔らかいものであり、内部のクッションも低反発性でほどよい弾性材質のものであるので、利用者には苦痛や違和感を与えることなく膝や足を外側に広げることができ、膝の内側の褥瘡予防、股関節の内転拘縮の進行防止などに効果的である。
次に、膝関節および足関節がマットの範囲内におさまる適合位置、左右いずれかの適宜側で、下腿部の上方と下方2カ所にベルトを血行障害を起こさない程度の締め具合で巻き付け、面ファスナー３で固定する。ベルトのマット本体への取り付け位置は、初回あるいは慣れない間は専門家の指導を受けながら適切な位置を探るようにして決定し、利用者本人あるいは介助者が使用に慣れて来た場合、マット上の適切箇所に予めベルトを付着させておき、マット挿入後速やかにそのベルト位置に脚の位置を合わせてベルトを装着するとよい。
マットの挿入動作やベルトの脱着は特殊な技能や機器を必要とせず、誰にでも容易に行えるので、介助者にとっても負担感を与えないであろう。
【産業上の利用可能性】
【００１３】
歩行や移動が困難あるいは寝たきりの高齢者、障害者の場合、自宅や、病院、施設において介護を受けている人が多い。当該者のうち股関節の内転拘縮により膝の内側や下腿部に疼痛や褥瘡があるケースもまれではない。現場でこれを解消するためには、本考案マットのように脚内側に挟め物をすることが効果的であるが、誰にでも簡単に扱える製品がなく、介助者を悩ませている。
本考案はこの悩みを解消する有力な手段である。家庭、病院、施設において本考案のマットが普及すれば、医療費、介護保険の中にしめる介護の費用負担を軽減化さられると同時に、介護される側のQOL（生活の質）も高まり、福祉社会に貢献できる。
【図面の簡単な説明】
【００１４】
【図１】内転防止マット全体の斜視図である。
【図２】内転防止マット本体からベルトを剥離させたところの斜視図である。
【図３】ベルトの斜視図である。（裏側）
【図４】内転防止マット全体の四面図である。
【図５】車いす上で内転防止マットを使用している場面の斜視図である。
【符号の説明】
【００１５】
１  内転防止マット本体
２  内転防止マット本体を脚につけるためのベルト
３  ベルトの取り付け具合を調節するための面ファスナー
４  フェルトなどの軟性素材、または良通気性素材
５  本体にベルトを固定するための面ファスナー
【図１】
0003131177.tif 000003
【図２】
0003131177.tif 000004
【図３】
0003131177.tif 000005
【図４】
0003131177.tif 000006
【図５】
0003131177.tif 000007